(57)【特許請求の範囲】
【請求項１】
バッフル(24)、及び該バッフル(24)のための支持体(18)を備え、前記バッフルが膜(26)を含むようなごみ処理装置の飛跳ね防具において、
前記膜(26)における多数のスリット(28)が共通点から延びており、
それに対応する数の壁対(30,32)が前記膜の下面から下方に延びており、各壁対は、各スリット(28)の経路を境界定めし、且つそれら壁間にチャンネル(38)を形成し、
各壁対の第１壁(30)は、その壁対の第２壁(32)に向かって横方向に変位されて各チャンネル(38)に対する底部を形成する軸方向端(42)を有し、そして各壁対の第２壁(32)は、その第１壁(30)の前記変位した軸方向端(42)に到達する前に終了し、前記チャンネル(38)の底部に横方向開口(36)を形成することを特徴とする飛跳ね防具。
【請求項２】
前記スリット(28)は、前記膜(26)を横切って半径方向に延びる、請求項１に記載の飛跳ね防具。
【請求項３】
前記スリット(28)は、前記膜(26)を横切る曲線経路において延びる、請求項１又は２に記載の飛跳ね防具。
【請求項４】
前記スリット(28)は、前記膜(26)を横切る半円形経路において延びる、請求項１、２又は３に記載の飛跳ね防具。
【請求項５】
前記第１壁(30)の軸方向端(42)は、各第２壁(32)に向かって滑らかに変位される、請求項１から４のいずれかに記載の飛跳ね防具。
【請求項６】
前記第１壁(30)の軸方向端(42)は、各第２壁(32)に向かって直交方向に変位される、請求項１から４のいずれかに記載の飛跳ね防具。
【請求項７】
前記第１壁(30)の軸方向端(42)は、各スリット(28)の軸方向突出を完全にカバーする、請求項５に記載の飛跳ね防具。
【請求項８】
前記支持体(18)は、ゴムリングガスケットである、請求項１から７のいずれかに記載の飛跳ね防具。
【請求項９】
前記膜は、皿型形状である、請求項１から８のいずれかに記載の飛跳ね防具。
【請求項１０】
シンクの排水開口に接続可能なごみ処理装置であって、
ハウジングと、
前記ハウジングに収容された粉砕機構と、
前記粉砕機構の上に位置されて、前記排水開口を覆う飛跳ね防具(22)と、
を備え、該飛跳ね防具は、バッフル(24)、及び該バッフル(24)のための支持体(18)を備え、前記バッフルが膜(26)を含むようなごみ処理装置において、
前記膜(26)における多数のスリット(28)が共通点から延びており、
それに対応する数の壁対(30,32)が前記膜の下面から下方に延びており、各壁対は、各スリット(28)の経路を境界定めし、且つそれら壁間にチャンネル(38)を形成し、
各壁対の第１壁(30)は、その壁対の第２壁(32)に向かって横方向に変位されて各チャンネル(38)に対する底部を形成する軸方向端(42)を有し、そして各壁対の第２壁(32)は、その第１壁(30)の前記変位した軸方向端(42)に到達する前に終了し、前記チャンネル(38)の底部に横方向開口(36)を形成することを特徴とするごみ処理装置。
【請求項１１】
前記飛跳ね防具(22)は、前記処理装置のハウジングを前記排水開口に対してシールするためのガスケットと一体的に形成される、請求項１０に記載のごみ処理装置。
【請求項１２】
前記バッフル(24)は、ゴムで形成される、請求項１０又は１１に記載のごみ処理装置。
【請求項１３】
前記バッフル(24)は、弾力性柔軟材料で形成される、請求項１０又は１１に記載のごみ処理装置。
【請求項１４】
前記横方向開口(36)は、前記粉砕機構(19)の回転方向を向いている、請求項１０から１３のいずれかに記載のごみ処理装置。
【発明の詳細な説明】
【技術分野】
【０００１】
本発明は、ごみ処理装置に係り、より詳細には、その飛跳ね防具に係る。
【背景技術】
【０００２】
ごみ処理装置は、台所シンクの下に設置され、シンクの排水口を通して捨てられるごみ又は食品廃物を受け取る。処理装置は、ごみを受け取る作用チャンバー内に配置された粉砕機構を備えている。処理装置の運転中には、ごみが粉砕機構へ及びそれを通して移動するのを助けるために水を流すことが推奨される。粉砕プロセスの猛烈な性質は、水が排水開口から後方へ飛跳ね得ると共に、時には、固体物も吐き出され得ることを意味する。このため、ほとんどの処理装置は、後方の飛跳ねを防止するためにある形式の飛跳ね防具を有している。しかしながら、装置の性質上、飛跳ね防具は、多種のごみ及び多量の水が最小限の干渉で排水口を下方に通過するのを受け容れ又は許すことができねばならない。ほとんどの飛跳ね防具は、排水口にわたって広がるゴム又は同様の材料で作られたウェブ又はバッフルを有する。このバッフルは、バッフルのセグメントが到来する物体に対して容易に撓みながら、飛跳ねて戻る物体に対してある程度の抵抗を与えることができるように多数のスリットを有している。そのほとんどは、中央開口を含み、これは、バッフルが閉じたときでも開いたままで、自由に水を排水することができる。この中央開口は、粉砕プロセスからの跳ね戻りや騒音が防止されずにある程度逃れるのを依然として許す。実際に、ほとんどのバッフル設計は、跳ね戻り物体に対して最小限の抵抗しか与えない。
【０００３】
スリット設計を改善するための近代的な試みは、バッフルをひだ状にして、小さな中央開口を、下向きの圧力では容易に膨張させるが、上向きの圧力では小さく維持するか又は更に収縮させるような非カット設計を使用している。しかしながら、この設計は、依然、明確な中央開口がある。このような設計は、例えば、米国特許第３４３２１０８号及び第６７１９２２８号に開示されており、これらは両方ともその全体を参考としてここに援用する。
【０００４】
米国特許第６７１９２２８号は、バッフルの中央穴の周りにスリットが形成され、スリットの端には小さな直接的な穴が設けられ、そして好ましい実施例では付加的な穴が示された改良された形態を開示している。この用途については、付加的なバッフルが設けられる。
【発明の開示】
【発明が解決しようとする課題】
【０００５】
従って、簡単でありながら、水及び／又はごみの後方への飛跳ねを防止するごみ処理装置のためのバッフルが要望される。
【課題を解決するための手段】
【０００６】
従って、本発明は、バッフル、及びバッフルのための支持体を備え、バッフルが膜を含むようなごみ処理装置の飛跳ね防具において、膜における多数のスリットが共通点から延びており、それに対応する数の壁対が膜の下面から下方に延びており、各壁対は、各スリットの経路を境界定めし、且つそれら壁間にチャンネルを形成し、各壁対の第１壁は、その壁対の第２壁に向かって横方向に変位されて各チャンネルに対する底部を形成する軸方向端を有し、そして各壁対の第２壁は、その第１壁の前記変位した軸方向端に到達する前に終了し、チャンネルの底部に横方向開口を形成する飛跳ね防具を提供する。
【０００７】
好ましくは、スリットは、膜を横切って半径方向に延びるか、膜を横切って曲線経路に延びるか、又は膜を横切って半円形の経路に延びる。
【０００８】
好ましくは、第１壁の軸方向端は、各第２壁に向かって滑らかに変位される。
【０００９】
或いは又、第１壁の軸方向端は、各第２壁に向かって直交方向に変位される。
【００１０】
好ましくは、第１壁の軸方向端は、各スリットの軸方向突出を完全に覆う。
【００１１】
好ましくは、支持体は、ゴムリングガスケットである。
【００１２】
第２の態様によれば、本発明は、シンクの排水口に接続可能なごみ処理装置であって、
ハウジングと、
ハウジング内に収容された粉砕機構と、
粉砕機構の上に位置されて、排水開口を覆う飛跳ね防具と、
を備え、飛跳ね防具は、バッフル、及びバッフルのための支持体を備え、バッフルが膜を含むようなごみ処理装置において、
膜における多数のスリットが共通点から延びており、
それに対応する数の壁対が膜の下面から下方に延びており、各壁対は、各スリットの経路を境界定めし、且つそれら壁間にチャンネルを形成し、
各壁対の第１壁は、その壁対の第２壁に向かって横方向に変位されて各チャンネルに対する底部を形成する軸方向端を有し、そして各壁対の第２壁は、その第１壁の前記変位した軸方向端に到達する前に終了し、チャンネルの底部に横方向開口を形成するごみ処理装置を提供する。
【００１３】
好ましくは、飛跳ね防具は、処理装置のハウジングを排水開口に対してシールするためのガスケットと一体的に形成される。
【００１４】
好ましくは、バッフルは、ゴム又は弾力性の柔軟な材料で形成される。
【発明を実施するための最良の形態】
【００１５】
以下、添付図面を参照し、本発明の好ましい実施形態を一例として詳細に説明する。
以下の説明では、明瞭化のために、具現化の全ての特徴が説明されるのではない。このような特徴は、特定の用途に適するように適応させる必要があり且つ良く知られたものであり、又、本発明の部分を構成せず、更に、ここに取り上げる参照文献から理解できるものである。
【００１６】
図１において、ごみ処理装置１０は、シンク１４の排水口１２に取り付けられて示されている。装置１０の最上部の一部は、取り付け方法を例示するために断面で示されている。処理装置は、粉砕チャンバー１７内の粉砕機構１９を駆動する電気モータを収容するハウジング１６を有する。実際の取り付けは、従来式であり、ここでは詳細に説明しないが、処理装置のハウジング１６が、シンク１４からの排水パイプ２０に嵌合するゴムのガスケット１８に取り付けられ、次いで、パイプが水密式にシンク１４に接続されることを述べれば充分であろう。ガスケット１８は、ハウジング１６と排水パイプ２０との間の水密シールを形成する。
【００１７】
ガスケット１８は、飛跳ね防具２２の一体的部分として形成されたリングである。従って、飛跳ね防具２２が粉砕機構の上に配置される。ゴムの膜２６を有するバッフル２４がガスケット１８の中心開口にわたって延びて、それを実質的に閉じる。このように、ガスケット１８は、バッフル２４を支持する。膜２６は、４つのスリット２８を有し、その各々は、膜２６の中心から始まって、部分円形路に沿ってその外縁付近で終り、平面図で見ると、４つのスリット２８は、等周囲離間されてガスケット１８の中心で一緒に接合する４つの半円を形成する。又、膜２６は、重力作用のもとで水を中心に向けて排水する皿状にされる。
【００１８】
各スリット２８は、膜２６の下面から下方に延びる一対の壁３０、３２によって境界定めされる。壁３０は、飛跳ね防具２２の軸方向に、壁３２より高さが高い。各対の高い方の壁３０は、スリット２８の足跡をカバーするように短い方の壁に向かって延びる小さなフランジ又は棚３４を水平方向に有している。従って、各対の短い方の壁３２は、棚３４から離間されて、スリットに対する横方向の下部開口３６を形成する。従って、スリット２８及び壁３０、３２は、開いた頂部と、底部の横方向又は側部開口３６とをもつチャンネル３８を形成する。このように、膜の開口は、明確な開口ではなく、開口がバッフルを通るまっすぐな視線を与えるように整列していないことを意味する。
【００１９】
スリット２８は、膜２６に、多数の柔軟な又は弾力性のフィンガー４０を与え、これらフィンガーは、容易に下方に撓んで、廃物や水を処理装置へ通過するのを許すことができる。スリットは、飛跳ね防具が閉じた状態にあるときでも、シンクからの水の排水を許す。壁３０、３２は、膜２６に、比較的容易に下方に撓みながら、上向きの変形に抵抗する形状完全性を与え、膜２６が比較的薄く且つ弾力性の柔軟な材料であるのを許す。好ましい材料は、ゴム材料又はゴム状の材料である。
【００２０】
従って、使用中に、飛跳ねて戻る水やごみは、直線通路がないので、飛跳ね防具２２を容易に脱出することができない。いかなる飛跳ねも、チャンネルの壁の内面から跳ね返ることが必要となり、その速度を著しく低下させる。更に、チャンネルの開いた側は、粉砕機構の回転方向を向いており、これは、飛跳ねて戻る機会を著しく少なくする。というのは、飛跳ねは、通常、粉砕機構の回転方向に半径方向成分又は螺旋状成分を伴って上方に移動し、従って、チャンネルの閉じた側でバッフルに当たるからである。
【００２１】
図５は、高い方の壁３０の軸方向端４２の別の構成を示す。フランジ又は棚が壁から直交方向に延びるのではなく、壁３０の下端４２が、低い方の壁３２に向かって又は少なくとも低い方の壁３２の軸方向突出に向かって滑らかに変位されて、スリット２８の軸方向突出をカバーし又は閉じる。このように、棚３４と壁３０との間のコーナー４４が滑らかな曲線４６に置き換えられ、廃物や細菌が蓄積するおそれを低減し、バッフル２４の清掃し易さを促進する。
【００２２】
図６は、スリット２８が半径方向である別の設計の平面図である。スリット２８、壁３０、３２、及び下部開口３６の構造は、前記説明に従う。従って、スリットの実際の経路は、半径方向のまっすぐな線又は半径方向の半円形の線でなくてもよいが、スリット経路は、ある程度の周囲方向成分をもつのが好ましい。
【００２３】
上述した実施形態は、単なる例示に過ぎず、当業者であれば、特許請求の範囲に規定された本発明の範囲から逸脱せずに、種々の変更がなされ得ることが明らかであろう。
【００２４】
好ましい実施形態では、飛跳ね防具は、取り付けガスケットと一体であるとして示したが、従来技術で知られたように、飛跳ね防具は、排水パイプや処理装置の口に取り付けられる個別の物品で、ユーザにより容易に交換できるものでもよい。本発明は、このような形式の飛跳ね防具にも適用できる。
【図面の簡単な説明】
【００２５】
【図１】シンクに接続されたごみ処理装置の上部を示す断面図である。
【図２】図１のごみ処理装置の一部分である飛跳ね防具の斜視図である。
【図３】図２の飛跳ね防具の断面図である。
【図４】図２の飛跳ね防具の後方斜視図である。
【図５】飛跳ね防具の変形例を示す図である。
【図６】別の飛跳ね防具の平面図である。
【符号の説明】
【００２６】
１８：支持体
２２：飛跳ね防具
２４：バッフル
２６：膜
２８：スリット
３０、３２：壁
３４：棚
３６：横方向開口
３８：チャンネル
４２：軸方向端
【図１】
0005138929.tif 000002
【図２】
0005138929.tif 000003
【図３】
0005138929.tif 000004
【図４】
0005138929.tif 000005
【図５】
0005138929.tif 000006
【図６】
0005138929.tif 000007